(57)【要約】【課題】背面からの反射音の妨害を受けにくく、かつ、画面の大型化に適した細長薄型のパネル型スピーカを提供する。                      【解決手段】本発明のパネル型スピーカによれば、撓み振動が励振される振動板が、細長矩形状の正面部分( F ) および背面部分( R ) と、狭い幅の側面部分( S ) とから成る細長薄型の密閉ケース( C ) を兼ねている。この密閉ケース( C ) の内部に、振動板の正面部分の裏面の長手方向に沿って複数のエキサイタ( E1,E2 ) が取付けられている。【選択図】図２
2006121360.tif 000002
【特許請求の範囲】
【請求項１】
振動板の裏面に取付けたエキサイタからこの振動板に前後方向への振動を伝達することにより、この振動板に撓み振動を励振する振動モード方式のパネル型スピーカにおいて、  前記振動板は、細長矩形状の正面部分および背面部分と、狭い幅の側面部分とから成る細長薄型の密閉ケースを兼ねたことと、この密閉ケースの内部に前記振動板の前記正面部分の裏面の長手方向に沿って取付けられた複数のエキサイタが収容されたこととを特徴とするパネル型スピーカ。
【請求項２】
請求項１において、
前記側面部分は、前記正面部分の周縁部から後方に折り曲げられた第１の部分と、前記背面部分の周縁部から前方に折り曲げられた第２の部分と、これら第１，第２の部分の端部の双方を覆って巻かれた軟質の帯状体とから成ることを特徴とするパネル型スピーカ。      
【請求項３】
請求項１または２のいずれかにおいて、
前記振動板の細長矩形状の正面部分および背面部分の短辺に対する長辺の長さの比率が５以上であることを特徴とするパネル型エキサイタ。
【請求項４】
請求項１乃至３のいずれかにおいて、
前記振動板の前記側面部分の幅は、前記正面部分の前記長辺の長さに対して１０分の１以下の比率を有することを特徴とするパネル型スピーカ。
【請求項５】
請求項１乃至４のいずれかにおいて、
前記振動板の前記側面部分の幅は、前記複数のエキサイタのうち最大のものの厚みに等しい値であることを特徴とするパネル型スピーカ。
【請求項６】
請求項１乃至５のいずれかにおいて、
前記振動板の前記エキサイタが固定される正面部分は、前記振動板とは異なる音響特性の帯域補正用振動板が取付けられたことを特徴とするパネル型スピーカ。
【請求項７】
請求項１乃至６のいずれかにおいて、
前記振動板の前記正面部分の裏面には長手方向にそって延長される補強用リブが形成さたことを特徴とするパネル型スピーカ。
【請求項８】
請求項１乃至７のいずれかにおいて、
前記振動板の前記背面部分の裏面にはゴムその他を素材とする制振部材が取付けられたことを特徴とするパネル型スピーカ。
【発明の詳細な説明】
【技術分野】
【０００１】
本発明は、据え置き型の表示装置などに付随して利用されるパネル型スピーカに関するものである。
【背景技術】
【０００２】
従来、表示装置の保護パネルなどを振動板として利用するパネル型スピーカが開発されてきた。このパネル型スピーカは、振動板として利用する表示装置の保護パネルの周辺部分の裏側に電磁型や圧電型のエキサイタを宙づりの状態で固定し、このエキサイタから保護パネルに前後方向への振動を伝達することによって保護パネルに撓み振動を励振するように構成されている（特許文献１）。
【０００３】
【特許文献１】特開２００３−１４３６９０号公報（図１）
【発明の開示】
【発明が解決しようとする課題】
【０００４】
上記従来のパネル型スピーカは、表示装置の薄型化が進むにつれて表示装置の背面からの反射音の妨害を受けるなどエキサイタの周囲の状況によっては必ずしも十分な音質が確保できないという問題があった。また、最近の表示装置の画面の大型化に伴い、これに適した構造の新規なパネル型スピーカが必要とされてきている。さらに、表示装置の美観を損なわないという意匠的制約を満たすことも重要な課題となってきている。
【課題を解決するための手段】
【０００５】
上記従来技術の課題を解決する本発明のパネル型スピーカは、振動板の裏面に取付けたエキサイタからこの振動板に前後方向への振動を伝達することにより、この振動板に撓み振動を励振する振動モード方式のパネル型スピーカである。そして、この振動板は、細長矩形状の正面部分および背面部分と、狭い幅の側面部分とから成る細長薄型の密閉ケースを兼ねると共に、この密閉ケースは振動板の正面部分の裏面の長手方向に沿って取付けられた複数のエキサイタを収容している。
【発明の効果】
【０００６】
本発明のパネル型スピーカでは振動板の正面部分だけでなく背面部分や側面部分も音の発生に寄与する。このため、表示装置の左右や上下の端部とこれらを囲む化粧板との間に割当られた細長い空間に配置でき、しかも、比較的大きな音を発生させることができる。また、振動板が背面部分を有する密閉構造のケースを兼ねているため、スピーカの背後で生じた反射波による音質の劣化が生じ難くなる。また、また、従来のパネル型スピーカとは異なり、振動板を表示装置の保護パネルなどと兼用していないため、表示装置の美観を損なうことなく、各種の表示装置との組合せの自由度が大きく、また、使用途中での修理や交換の手間が省けるという利点がある。
【発明を実施するための最良の形態】
【０００７】
本発明の好適な実施の形態によれば、振動板の側面部分が正面部分の周縁部から後方に折り曲げられた第１の部分と、背面部分の周縁部から前方に折り曲げられた第２の部分と、これら第１，第２の部分の端部の双方を覆って巻かれた軟質の帯状体とから構成されている。このため、正面部分で励振された撓み振動は、背面部分に伝達される際に、高周波成分は軟質の帯状体に多く吸収・減衰される。この結果、背面部分まで伝播しここから外部に放射される撓み振動音の周波数成分は音の定位に影響しない低周波成分となり、音質の劣化が生じ難くなる。
【０００８】
本発明の他の好適な実施の形態によれば、振動板の細長矩形状の正面部分および背面部分は、短辺に対する長辺の長さの比率が５以上であるため、小さな横幅のケースに長手方向に沿って多数のエキサイタを取付けることが可能になり、実装密度が高く、音声出力の大きなスピーカを実現できる。
【０００９】
本発明のさらに他の実施の形態によれば、振動板の側面部分の幅が、正面部分の長辺に対して１０分の１以下の比率を有し、例えば、複数のエキサイタのうち最大のものの厚みに等しい値に設定される。このため、最小限度の厚みの密閉ケースの内部に高い実装密度で多数のエキサイタを取付けることができる。
【実施例】
【００１０】
図１〜図４は、それぞれ本発明の一実施例のパネル型スピーカの構成を示す平面図、側断面図、側面図および底面図である。各図において、Ｃは振動板を兼ねたケース、Ｅ１，Ｅ２はエキサイタ、Ｆ，Ｒ，Ｓはそれぞれ振動板を兼ねたケースの正面部分、裏面部分、側面部分、Ｂはベルト、Ｑはリブ、Ｄは制振体である。
【００１１】
振動板を兼ねるケースＣは、樹脂を素材としており、細長矩形状の正面部分Ｓと裏面部分Ｒとを備えている。これら細長矩形状の正面部分Ｆと裏面部分Ｒの短辺に対する長辺の長さの比率は８である。ケースＣの正面部分Ｆの裏面に２個のエキサイタＥ１，Ｅ２が取付けられている。各エキサイタＥ１，Ｅ２は、可動線輪型（電磁型）のエキサイタであり、大型のエキサイタＥ１が中・低音域の音を発生し、小型のエキサイタＥ２が高音域の音を発生する。
【００１２】
各エキサイタＥ１，Ｅ２では、ボイスコイルが巻回された円筒形状のボビンの先端部に円板形状のサブパネルが固定されており、このサブパネルが正面部分Ｆの裏面に接着剤または両面テープで固定されている。振動板を兼ねたケースＣの側面部分Ｓの幅は、正面部分Ｆの長辺に対して１０分の１以下の比率を有すると共に、この幅は大型のエキサイタＥ１の厚みに等しい値となっている。この薄型ケースＣの側面部分Ｓは、正面部分の周縁部から後方に折り曲げられた第１の部分と、背面部分の周縁部から前方に折り曲げられた第２の部分と、これら第１，第２の部分の端部の双方を覆って側面部分に沿って巻かれた発泡ポリエチレンや発泡ゴムなどの軟質のベルトＢとから構成されている。
【００１３】
各エキサイタＥ１，Ｅ２のボビンに巻回されたボイスコイルに、図示しない信号線から音声周波数帯の交流信号が供給されると、それぞれのボビンとその先端面に固定されたサブパネルが上下方向に振動する。この結果、正面部分Ｆのサブパネルが固定された個所が上下に振動し、その周辺部分に撓み振動が励振される。この撓み振動は、正面部分Ｆからその短辺方向や長辺方向に伝播し、側面部分Ｓを経て裏面部分Ｒに伝播する。
【００１４】
この撓み振動は、ケースの背面部分Ｒに伝達される際に、主として高周波成分が側面部分Ｓの軟質のベルトＢに吸収・減衰される。このため、背面部分Ｒに到達する周波数成分は音の定位に影響しない低周波成分が主体となり、背面部分Ｒから発生された音であっても音質の劣化を生じさせない。
【００１５】
ケースＣの正面部分Ｆの裏面には撓み振動が伝播する長手方向に沿って２本のリブＱが形成され、補強され、剛性が高められる。このため、長手方向に沿って伝播する高周波数成分の減衰が防止される。裏面部分Ｒの裏面には、発泡ゴムなどを素材する制振体Ｄが取付けられいる。この制振体Ｄは、主として撓み振動の高周波成分を減衰し抑制することにより、背面部分Ｒが音の定位に影響しない低周波成分で振動するのを助長する。この制振体Ｄは、少数ながら正面部分Ｆの裏面にも取付けられ、振動特性の調整が行われる。
【００１６】
以上、振動板を兼ねるケースの正面部分の裏面にエキサイタをそのまま取付ける構成を例示した。しかしながらこのエキサイタの取付け個所の肉厚をその周辺部よりも薄くしたり、逆に、厚くしたりすることにより、励振の能率を高めたり、励振の周波数特性を調整したりすることもできる。あるいは、この取付け部分に開口を形成し、この開口に金属板や異なる素材の板を嵌め込み、これにエキサイタを取付けることにより、励振の能率を高めたり、励振の周波数特性を調整したりする構成とすることもできる。
【００１７】
また、振動板を兼ねたケースの正面部分に異なる大きさの２個のエキサイタを取付ける構成を例示した。しかしながら、この正面部分に同一の大きさの２個のエキサイタを取付けることもできるし、あるいは、適宜な大小関係を有する３個以上のエキサイタを取付けることもできる。
【図面の簡単な説明】
【００１８】
【図１】本発明の一実施例のパネル型スピーカの構成を示す平面図である。
【図２】上記実施例のパネル型スピーカの側断面図である。
【図３】上記実施例のパネル型スピーカの側面図である。
【図４】上記実施例のパネル型スピーカの底面図である。
【符号の説明】
【００１９】
C         振動板を兼ねたケース
E1,E2     エキサイタ
F         ケースの正面部分
R         ケースの裏面部分
S         ケースの側面部分
B         ベルト
Q         ケースの裏面に形成された補強用のリブ
D         ケースの裏面に取付けられた制振体
【図１】
2006121360.tif 000003
【図２】
2006121360.tif 000004
【図３】
2006121360.tif 000005
【図４】
2006121360.tif 000006